(57)【要約】【解決手段】椎弓根ネジ脊椎ロッドコネクタ装置が提供されており、同装置は、挿入された椎弓根ネジの頭部を取り付けるための開口部を有する本体を含んでいる。本体に接続されているブラケット部は、側方拘束部を形成している。本体には、ブリッジ部が接続されていて、本体を覆って延びている。脊椎ロッド受け入れ用溝が、ブリッジ部とブラケット部の間に設けられている。コネクタ装置は、更に、椎弓根ネジから軸方向にずれて配置されていて、ブリッジ部に取り付けられている止めネジによって下向きに動かすことができる楔部を有している。楔部は、椎弓根ネジの頭部に係止力を働かせ、脊椎ロッドに概ね横方向の係止力を働かせる。【選択図】図３
2009533164.tif 000002
【特許請求の範囲】
【請求項１】
椎弓根ネジ脊椎ロッドコネクタ装置において、
挿入された椎弓根ネジの頭部を取り付けるための開口部を有する本体と、
前記本体に接続されていて、側方拘束部を形成しているブラケット部と、
前記本体を覆って延び、前記本体に接続されているブリッジ部であって、前記ブリッジ部と前記ブラケット部との間に脊椎ロッド受け入れ溝を形成している、ブリッジ部と、
前記椎弓根ネジから軸方向にずれて配置されていて、前記ブリッジ部に取り付けられている止めネジによって下向きに動かすことができる楔部であって、前記椎弓根ネジの頭部に対して係止力を働かせ、前記脊椎ロッドに対して概ね横方向の係止力を働かせる、楔部と、を備えている椎弓根ネジ脊椎ロッドコネクタ装置。
【請求項２】
前記椎弓根ネジに作用する前記係止力は、下向きの成分を有している、請求項１に記載の椎弓根ネジ脊椎ロッドコネクタ装置。
【請求項３】
前記楔部は非回転式である、請求項１に記載の椎弓根ネジ脊椎ロッドコネクタ装置。
【請求項４】
前記楔部には、柱部が接続されており、前記柱部は、前記止めネジの孔を貫いて延びていて、前記孔に比べて大きくなっている端部を有している、請求項１に記載の椎弓根ネジ脊椎ロッドコネクタ装置。
【請求項５】
前記楔部は、前記脊椎ロッド及び前記椎弓根ネジの頭部と並置されている、請求項１に記載の椎弓根ネジ脊椎ロッドコネクタ装置。
【請求項６】
前記楔部は、概ね前記本体の一番端に隣接している、請求項１に記載の椎弓根ネジ脊椎ロッドコネクタ装置。
【請求項７】
前記楔部は、前記椎弓根ネジにも隣接している、請求項６に記載の椎弓根ネジ脊椎ロッドコネクタ装置。
【請求項８】
前記楔部は、前記脊椎ロッドにも隣接している、請求項６に記載の椎弓根ネジ脊椎ロッドコネクタ装置。
【請求項９】
前記楔部は、整列壁によって整列させられる、請求項６に記載の椎弓根ネジ脊椎ロッドコネクタ装置。
【請求項１０】
前記楔部は、概ね硬質の材料で形成されている、請求項１に記載の椎弓根ネジ脊椎ロッドコネクタ装置。
【請求項１１】
前記楔部は、ポリマー材料で形成されている、請求項１に記載の椎弓根ネジ脊椎ロッドコネクタ装置。
【請求項１２】
前記楔部は、対称な円錐として形成されている、請求項１に記載の椎弓根ネジ脊椎ロッドコネクタ装置。
【請求項１３】
前記楔部は、前記止めネジに対して横方向に動かすことができる、請求項１に記載の椎弓根ネジ脊椎ロッドコネクタ装置。
【請求項１４】
椎弓根ネジ脊椎ロッドコネクタ装置において、
挿入された椎弓根ネジの略球形の頭部を取り付けるための開口部を有する概ね平坦な部分を備えている本体と、
前記本体に接続されていて、側方拘束部を形成しているブラケット部と、
前記本体を覆って延び、前記本体に接続されているブリッジ部であって、自身と前記ブラケット部の間に脊椎ロッド受け入れ溝を形成している、ブリッジ部と、
前記椎弓根ネジ及び前記ロッドと並置されている非回転式楔部であって、前記ブリッジ部に取り付けられている止めネジによって下向きに動かすことができ、前記椎弓根ネジの頭部に対して下向きの係止力を働かせ、前記脊椎ロッドに対して横方向の係止力を働かせて前記ブラケット部に押し付ける、非回転式楔部と、を備えている椎弓根ネジ脊椎ロッドコネクタ装置。
【請求項１５】
前記側壁は、前記本体の平坦な部分と前記ブリッジを接続しており、前記側壁は、更に、前記ブラケット部を形成している部分を有している、請求項１４に記載の椎弓根ネジ脊椎ロッドコネクタ装置。
【請求項１６】
概ね平行に間隔を空けて配置されていて、平行に間隔を空けて配置されたブラケット部となっている２つの側壁が設けられている、請求項１５に記載の椎弓根ネジ脊椎ロッドコネクタ装置。
【請求項１７】
前記楔部は、前記脊椎ロッドと線接触する平坦な接触面を有している、請求項１６に記載の椎弓根ネジ脊椎ロッドコネクタ装置。
【請求項１８】
前記楔部の前記脊椎ロッドとの接触線は、前記両ブラケット部の前記脊椎ロッドとの接触点を繋いだ線と平行である、請求項１７に記載の椎弓根ネジ脊椎ロッドコネクタ装置。
【請求項１９】
前記楔部の前記脊椎ロッドとの接触線は、前記両ブラケット部の前記脊椎ロッドとの接触点を繋いだ線と平行ではない、請求項１７に記載の椎弓根ネジ脊椎ロッドコネクタ装置。
【請求項２０】
椎弓根ネジ脊椎ロッドコネクタ装置において、
挿入された椎弓根ネジの略球形の頭部を取り付けるための、勾配付きの縁を備えた開口部を有する概ね平坦な本体と、
前記平坦な本体に接続されている側壁で形成されている、平行に間隔を空けて配置されている複式ブラケット部であって、側方拘束部となっている、複式ブラケット部と、
前記側壁を覆って延び、前記側壁と接続されているブリッジ部であって、自身と前記ブラケット部の間に脊椎ロッド受け入れ溝を形成している、ブリッジ部と、
前記椎弓根ネジ及び前記ロッドと並置されている非回転式楔部であって、前記脊椎ロッドとの概ね平坦な接触面を有しており、前記ブリッジ部に取り付けられている止めネジによって下向きに動かすことができ、前記椎弓根ネジの頭部に対して下向きの係止力を働かせ、前記脊椎ロッドに対して横方向の係止力を働かせて前記ブラケット部に押し付ける、非回転式楔部と、を備えている椎弓根ネジ脊椎ロッドコネクタ装置。
【発明の詳細な説明】
【技術分野】
【０００１】
本発明は、椎弓根ネジ脊椎ロッドコネクタ装置を、或る好適な実施形態では、挿入された椎弓根ネジの頭部を取り付けるための開口部を有する本体を含んでいる装置を提供する。
【背景技術】
【０００２】
脊椎系の外科医は、しばしば、椎弓根ネジで脊椎に接続された細長い脊椎ロッドによって脊椎融合を増強することによって、脊椎の不具合を治療している。その様な「ロッドアッセンブリ」は、一般に、１つ又は２つの脊椎ロッドと、椎弓根を通して各椎体に挿入される複数のネジを備えている。ネジには、脊椎ロッドをネジに連結するためのコネクタが設けられている。脊椎ロッドは、脊椎の縦軸に沿って延び、複数のネジに、それらのコネクタを介して連結されている。ロッドの整列作用によって、患者の脊椎は、強制的により適切な形状に沿わされる。
【発明の開示】
【課題を解決するための手段】
【０００３】
本発明は、椎弓根ネジ脊椎ロッドコネクタ装置を、或る好適な実施形態では、挿入された椎弓根ネジの頭部を取り付けるための開口部を有する本体を含んでいる装置を提供する。本体に接続されているブラケット部は、側方拘束部を形成している。本体には、ブリッジ部が接続されていて、本体を覆って延びている。脊椎ロッド受け入れ用溝が、ブリッジ部とブラケット部の間に設けられている。コネクタ装置は、更に、椎弓根ネジから軸方向にずれて配置されていて、ブリッジ部に取り付けられている止めネジによって下向きに動かすことができる楔部を有している。楔部は、椎弓根ネジの頭部に係止力を働かせ、脊椎ロッドに概ね横方向の係止力を働かせる。
【０００４】
本発明の他の特徴は、添付図面及び本発明の詳細な説明において、本発明が更に明らかになるにつれ、当業者にはより一層明白に理解頂けるであろう。
【発明を実施するための最良の形態】
【０００５】
図１から図３、及び図３Ａには、本発明による或る好適な実施形態の椎弓根ネジ脊椎ロッドコネクタ装置７が示されている。装置７は、本体１０を含んでいる。本体１０は、代表的には、チタン又は他の適した材料で製作されている。本体の底部分１２は、平坦であって、縁が機械加工されている。本体の底部分１２には開口部１４がある。開口部１４は、勾配付きの縁１６を有している。開口部１４は、椎弓根ネジ１８を挿入することができるようになっている。
【０００６】
椎弓根ネジ１８は、通常、患者の脊柱の椎弓根に挿入される。椎弓根ネジ１８は、円錐形、球形、又は半球形の頭部が結合されている、ほぼ全体にネジが切られた軸部２０を有している。
【０００７】
２つの平行に間隔を空けて配置された側プレート２６は、本体の底部分１２と固定的に接続されている。通常、各側プレート２６と底部分１２は、材料の塊から機械加工されるか、又はモールド成形される。各側プレート２６と一体に接続され、それらを覆って、ブリッジ部２８が延びている。各側プレート２６の前方部分は、複式ブラケット部３０を形成している。両ブラケット部３０は、通常、脊椎ロッド３２と一点で又は連続的に接触して脊椎ロッド３２の円筒形の表面に沿う湾曲装着面３４を有している。ブリッジ部２８と両ブラケット部３０の間の空間は、脊椎ロッド受け入れ溝３６を形成している。
【０００８】
ブリッジ部２８は、少なくとも部分的にはネジが切られている内径部４０を有している。この内径部４０には、止めネジ４２が螺合挿入されている。止めネジ４２は、その頂面に沿って、Allenレンチ（図示せず）を受け入れるための六角形の頭部捩じ込み面４４を形成している陥凹部を有している。止めネジ４２の下には楔部４８が配置されている。楔部４８は、椎弓根ネジ１８の軸４３から軸方向にずれて配置されている。図３に示すように、楔部４８は、断面形状が、概ね平坦な脊椎ロッド接触面５０と反対側の概ね平坦なネジ頭部接触面５２を有する台形になっている。楔部４８は、チタンの様な金属系の概ね硬質の材料又は他の適した材料で製作されている。
【０００９】
止めネジ捻じ込み面４４には床５８がある。孔５９がこの床５８を突っ切っている。楔部４８には柱部６０が接続されており、この柱部６０は、孔５９を通って捻じ込み面４４の中まで延びている。柱部６０の幅は、楔部４８を止めネジ４２に対して横に動かし易くすると共に止めネジ４２が楔部４８に対して自由に回転できるように、孔５９より相当小さくなっている。柱部の端部６１は、孔５９に比べて端部６１が大きくなるように、スエージング加工で変形させている。柱部の端部６１が大きくなっていることによって、楔部４８は止めネジ４２に捕捉されることになる。端部６１には、通常、床５８との間に僅かな隙間が設けられ、楔部４８は、確実に、止めネジに対する上記相対運動ができるようになっている。
【００１０】
施術に際し、本体１０、止めネジ４２、及び楔部４８は、手術室に届ける前に組み立てられる。外科処置時、外科医は、頭部付き椎弓根ネジ１８を本体１０の開口部１４に挿入する。次いで、椎弓根ネジ１８の軸部２０を、患者の脊柱の椎骨椎弓根内に螺合挿入する。次いで、脊椎ロッド３２を、脊椎ロッド受け入れ溝３６内に入れて、ブラケット部３０に当接させる。楔部４８は、脊椎ロッド３２及びネジの頭部２２と並置されている。止めネジ４２にトルクを掛け、楔４８を下に動かす。楔４８を下向きに動かすと、楔４８は、接触面５０に沿って脊椎ロッド３２と線接触する。上で述べた動作によって、ブラケット部３０は脊椎ロッド３２に対する側方拘束部として機能することになる。従って、楔部４８とブラケット部３０は、協働して脊椎ロッド３２を横方向に関して係止する。同時に、楔部４８が下に動くことで、楔部４８の接触面５２が、ネジの頭部２２に対してして実質的に下向きの成分を有する係止力を働かせて、開口部１４の勾配付きの縁１６に押し付ける。椎弓根ネジ軸４３の、本体の底部分１２との垂直でない整列は、ネジの頭部２２の、開口部の勾配付きの縁１６に対する軸回転運動によって補償することができる。脊椎ロッド３２の中心線３３に対する軸４３の位置の横方向の整列不良も、楔部４８を椎弓根ネジ１８と脊椎ロッド３２に係止させるのに必要な止めネジ４２の貫入深さによって補償することができる。楔部４８は、更に、許容誤差の差異を補償するために、止めネジ４２に対して横方向に僅かに動かすことができる。楔部４８の接触面５０と脊椎ロッド３２との線接触によって、楔部４８が回転しないことが保証される。
【００１１】
通常、殆どの用途で、接触面５０と脊椎ロッド３２との線接触は、脊椎ロッドの軸方向中心線３３と平行になっている。接触面５０とロッド３２との線接触は、２つのブラケット部３０のそれらと脊椎ロッド３２との点又は線接触部の間で引かれた線とも平行になっている。先細の脊椎ロッドを使用する用途では、ブラケット部３０接触点又は線と、接触面５０の接触の線との構成は、その様な先細の脊椎ロッドに対応するため平行でないように変更してもよい。更に、接触面５０は、必要に応じて、脊椎ロッド３２との接触が単一又は複数となるように変更してもよい。
【００１２】
図４は、本発明の代わりの好適な実施形態による椎弓根ネジ脊椎ロッドコネクタ装置１０７を提示している。図４の構成要素は、楔部１０２が対称な円錐の形状をしていることを除いて、図１から図３で先に説明したものと基本的に同一である。止めネジ４２にトルクを掛けている間、楔部１０２は僅かに回転することができる。更には、脊椎ロッド３２は、楔部１０２と点接触することになる。図示していない別の実施形態では、円錐形状の楔部は止めネジと一体に形成されている。
【００１３】
図５は、本発明の代わりの好適な実施形態による椎弓根ネジ脊椎ロッドコネクタ装置１１７を提示している。このコネクタ装置１１７では、楔部１２０は、金属製の楔に比べ、一般に軟らかくて変形可能なポリマー材料で製作されている。楔部１２０には、変形可能な端部１２５を有する柱部１２４が設けられている。柱部１２４を孔５９に挿入すると、端部１２５は半径方向に収縮し、その後外側に広がって、楔部１２０を止めネジ４２に接続する。
【００１４】
図６は、本発明の代わりの好適な実施形態による椎弓根ネジ脊椎ロッドコネクタ装置１３７を提示している。このコネクタ装置１３７では、楔部１４０は、本体１４４の一番端１４２に隣接して配置されている。楔部１４０は、脊椎ロッド３２にも隣接している。このコネクタ装置１３７にも、止めネジ４２を取り付けるブリッジ部１４５が設けられている。止めネジ４２を下に動かすと、楔部１４０が傾斜している整列壁１４７に沿って整列する。整列壁１４７には、ブリッジ部１４５と下側本体部分１４８が接続されている。椎弓根ネジの頭部２２に隣接して、更に、ブラケット部１５０が設けられている。ブラケット部１５０に隣接して、ポリマー製の椎弓根ネジ緩衝部１５２が配置されている。楔部１４０を下向きに動かすと、脊椎ロッド３２に横方向の係止力が働く。脊椎ロッド３２は、ネジの頭部２２に横方向の係止力を働かせ、ネジの頭部２２を、緩衝部１５２を介してブラケット部１５０に押し付ける。通常、ネジの頭部２２に作用する係止力には、ロッドの軸方向の中心線３３がネジの頭部の半径中心２３より下にあることから、垂直方向上向きの成分も含まれることになる。
【００１５】
図７は、本発明の代わりの好適な実施形態による椎弓根ネジ脊椎ロッドコネクタ装置１７７を提示している。この装置１７７は、整列壁１８０が垂直であって傾斜していないことを除いて、図６に示しているものと基本的に同一である。加えて、楔部１７４に多少変更が加えられている。
【００１６】
図８は、本発明の代わりの好適な実施形態による椎弓根ネジ脊椎ロッドコネクタ装置１８７を提示している。この装置１８７は、脊椎ロッド３２とネジの頭部２２の位置が入れ替わっていて、楔部１４９がネジの頭部２２に隣接していることを除いて、図６に示したものと基本的に同一である。楔部１４９は、本体の一番端１９１にも隣接している。ブラケット部１９２は、脊椎ロッド３２を横方向に拘束している。
【００１７】
以上、本発明の好適な実施形態を開示してきたが、それらは一例として説明したに過ぎず、本開示の精神及び範囲を逸脱すること無く、様々な変更を加えることができ、その様な変更は、特許請求の範囲の対象に包含されるものと理解されたい。
【図面の簡単な説明】
【００１８】
【図１】本発明による、好適な実施形態の椎弓根ネジ脊椎ロッドコネクタ装置の斜視図である。
【図２】図１に示しているコネクタ装置に利用されている椎弓根ネジの斜視図である。
【図３】図１に示しているコネクタ装置の部分断面斜視図である。
【図３】図３に示しているコネクタ装置の拡大断面図であり、図３に示している止めネジと楔部の接続を更に詳細に示している。
【図４】代わりの好適な実施形態のコネクタ装置を示している、図３と同様の図である。
【図５】更に別の好適な実施形態のコネクタ装置を示している、図３Ａと同様の図である。
【図６】図１に示しているものに代わる又別の好適な実施形態のコネクタ装置の断面図である。
【図７】図１に示しているものに代わる又別の好適な実施形態のコネクタ装置の断面図である。
【図８】図１に示しているものに代わる又別の好適な実施形態のコネクタ装置の断面図である。
【図１】
2009533164.tif 000003
【図２】
2009533164.tif 000004
【図３】
2009533164.tif 000005
【図３Ａ】
2009533164.tif 000006
【図４】
2009533164.tif 000007
【図５】
2009533164.tif 000008
【図６】
2009533164.tif 000009
【図７】
2009533164.tif 000010
【図８】
2009533164.tif 000011
【国際調査報告】
2009533164.tif 000012
2009533164.tif 000013
2009533164.tif 000014